(57)【要約】【課題】データセンタ等、密集設置される空調室外機群の吸気適正化を可能とする気流制御装置を提供する。【解決手段】気流制御部材３は、外板部２ａに回動自在に固定取り付けるための固定部３ｂと、高温排気の回り込みを防止する遮蔽板部３ａと、遮蔽板部３ａの先端に設けられた当接部３ｃと、により構成されている。遮蔽板部３ａは隣接室外機４Ｂとの間の空間を上下空間に区画するように構成されている。  固定部３ｂにはヒンジ機構が設けられており、固定部３ｂを回転軸として遮蔽板部３ａを回動可能としている。【選択図】図１
2015004499.tif 000002
【特許請求の範囲】
【請求項１】
近接設置される空冷式室外機群の各室外機本体に付設され、吸気適正化のための気流制御装置であって、
各室外機本体の送風ファン上部に付設される排気ダクトと、
排気ダクトの外側面に接続される気流制御部材と、を備え、
該気流制御部材を、排気の室外機本体の外気熱交換部への流入を遮断するように配置して成る、ことを特徴とする気流制御装置。
【請求項２】
前記排気ダクトは、消音機能をさらに備えたことを特徴とする請求項１に記載の気流制御装置。
【請求項３】
前記気流制御部材は、当該室外機の排気ダクトの外側面、又は、当該室外機の外側面に回動自在に接続可能に構成したことを特徴とする請求項１又は２に記載の気流制御装置。
【請求項４】
前記気流制御部材は、隣接室外機の排気ダクトの外側面に固定されることなく、当接可能とする当接部を備えたことを特徴とする請求項１乃至３のいずれかに記載の気流制御装置。
【請求項５】
前記当接部は、振動伝播防止のための緩衝材を備えたことを特徴とする請求項１乃至４のいずれかに記載の気流制御装置。
【請求項６】
前記気流制御部材は、外気熱交換部への外気吸込み適正化のための吸気導入部を、さらに備えたことを特徴とする請求項１又は２に記載の気流制御装置。
【請求項７】
各室外機本体に付設される前記気流制御部材と、複数の前記室外機本体と、を連結固定する連結部材を、さらに備えたことを特徴とする請求項６に記載の気流制御装置。
【発明の詳細な説明】
【技術分野】
【０００１】
本発明は、空調室外機の気流制御装置に係り、特に、データセンタ等、密集設置される空調室外機群の吸気適正化を可能とする気流制御装置に関する。
に関する。
【背景技術】
【０００２】
従来、建物の屋上等に設置される空調室外機は、室外機上部に設けられた送風ファンにより排気を上方に向けて排出するが、横風等の影響により排出された高温排気が下降流となって外気吸込み部に吸引され、運転効率低下の原因となっている。このような排気の回り込みを防止するため、空調室外機の排気口上部に煙突状の排気ダクトを取り付ける技術が公知である。
【０００３】
さらに、室外機の排気の流れを制御可能とする技術として、特許文献１の技術が提案されている。図８を参照して、同文献による排気ダクト１００は室外機１０１の排気口１０２の直上位置に設置されるものであり、排気口１０２より断面積大の開口部１０３を有している。さらに、排気口１０２と開口部１０３との間に、周囲から外気を流入させるための隙間１０４が設けられている。このような構成により、排気ダクト１００内を上昇する高温排気の周囲を隙間１０４から流入するた外気が包囲して、排気ダクト１００内壁近傍での空気の渦の発生を抑制してエネルギロスや排気騒音を低減させるとともに、ダクト１００上部から排出される高温排気の温度を低下させるものである。
【先行技術文献】
【特許文献】
【０００４】
【特許文献１】特開２００９−７４７０９号公報
【発明の開示】
【発明が解決しようとする課題】
【０００５】
一方、近年の情報通信技術の進展に伴い、ＩＣＴ装置の高速化、大容量化、高密度化が進み、これに伴いデータセンターにおけるＩＣＴ装置冷却のための室外機についても大容量化、高密度化している。このような状況に対応して、独立冷媒回路を備えた空冷チラーモジュール等の冷熱供給用熱源機（以下、室外機と総称）を複数台束ねてユニット化し（以下、室外機ユニット）、これを並列に配置、さらに重層化するシステムが実用化されている。このようなシステムにおいては、高温排気の回り込みによる吸気阻害の影響はさらに大きな問題となる。
【課題を解決するための手段】
【０００６】
本発明は、室外機に付設される排気ダクトに気流制御機能を付加して、吸気導入を促進して空調システムの効率向上を可能とする技術を提供する。
本発明は以下の内容をその要旨とする。すなわち、本発明に係る気流制御装置は、
（１）近接設置される空冷式室外機群の各室外機本体に付設され、吸気適正化のための気流制御装置であって、
各室外機本体の送風ファン上部に付設される排気ダクトと、
排気ダクトの外側面に接続される気流制御部材と、を備え、
該気流制御部材を、排気の室外機本体の外気熱交換部への流入を遮断するように配置して成る、ことを特徴とする。
【０００７】
（２）上記発明において、前記排気ダクトは、消音機能をさらに備えたことを特徴とする。
【０００８】
（３）上記各発明において、前記気流制御部材は、当該室外機の排気ダクトの外側面、又は、当該室外機の外側面に回動自在に接続可能に構成したことを特徴とする。
【０００９】
（４）上記各発明において、前記気流制御部材は、隣接室外機の排気ダクトの外側面に固定されることなく、当接可能とする当接部を備えたことを特徴とする。
【００１０】
（５）上記各発明において、前記当接部は、振動伝播防止のための緩衝材を備えたことを特徴とする。
【００１１】
（６）上記（１）の発明において、前記気流制御部材は、外気熱交換部への外気吸込み適正化のための吸気導入部を、さらに備えたことを特徴とする。
【００１２】
（７）上記発明において、各室外機本体に付設される前記気流制御部材と、複数の前記室外機本体と、を連結固定する連結部材を、さらに備えたことを特徴とする。
【発明の効果】
【００１３】
本発明によれば吸気が適正化されるため、排気ダクトから排出される高温排気の吸気側への回り込みを防ぐことができ、システム効率低下を防止できるという効果がある。
また、排気ダクトが消音器を兼用する発明にあっては、排気ダクトに消音機能と気流制御機能を併せ持たせることができるという効果がある。
また、外気吸込み部分に吸気整流部材を付設した発明によれば、吸気流の適正化が実現されるため、外気熱交換部における熱交換効率の向上に資するという効果がある。
【図面の簡単な説明】
【００１４】
【図１】第一の実施形態に係る気流制御装置１の構成を示す図である。
【図２】気流制御装置１を装備した室外機ユニット４の全体構成を示す図である。
【図３】気流制御部材３の詳細構成を示す図である。
【図４】気流制御部材３の回動状態を示す図である。
【図５】第二の実施形態に係る気流制御装置２０の構成を示す図である。
【図６】気流制御装置２０を装備した室外機ユニット４の全体構成を示す図である。
【図７】気流制御装置２０の室外機本体４Ａへの固定の態様を示す図である。
【図８】従来の気流制御装置１００の構成例を示す図である。
【発明を実施するための形態】
【００１５】
以下、本発明の各実施形態について、図１乃至７を参照してさらに詳細に説明する。重複説明を避けるため、各図において同一構成には同一符号を用いている。なお、本発明の範囲は特許請求の範囲記載のものであって、以下の実施形態に限定されないことはいうまでもない。
【００１６】
＜第一の実施形態＞
【００１７】
図１乃至３を参照して、本実施形態に係る気流制御装置１は、室外機本体４Ａの上部に取り付けられ、排気流の消音化と吸気流の適正化を図るものである。なお、以下では、室外機４Ａを例にして説明するが、室外機４Ｂ乃至４Ｄについても同様であ  
【００１８】
同一モジュールの空冷室外機４Ａ〜４Ｄは、近接設置されて室外機ユニット４を構成している。室外機４Ａ（以下、適宜、室外機本体４Ａという）は上段の外気熱交換部４ａと、下段の水熱交換部４ｂと、により構成されている。外気熱交換部４ａは、外気を吸い込むための送風ファン４ｃと、Ｖ字型に配置される冷媒−空気熱交換器４ｄと、を主要構成として備えている。また、水熱交換部４ｂは、いずれも不図示の圧縮機、冷媒−水熱交換器、循環ポンプ等を主要構成として備えている。室外機本体４Ａで製造される冷水は、冷媒配管（図示せず）を介して室内機（図示せず）側に供給される。
【００１９】
気流制御装置１は、排気ダクトとしての機能を兼ねる消音器２と、気流制御部材３と、により構成されている。消音器２は、角形筒状の外板部２ａの内部に吸音材、消音機構（いずれも不図示）を備えており、送風ファン４ｃ、圧縮機等に起因する騒音を減衰させて、高温排気を大気放散するように構成されている。
【００２０】
気流制御部材３は、消音器２の外板部２ａの隣接室外機４Ｂと対向する側面に付設されている。気流制御部材３は、外板部２ａに回動自在に固定取り付けるための固定部３ｂと、高温排気の回り込みを防止する遮蔽板部３ａと、遮蔽板部３ａの先端に設けられた当接部３ｃと、により構成されている。遮蔽板部３ａは隣接室外機４Ｂとの間の隙間空間を、上下の空間６ａ、６ｂに区画するように構成されている。
当接部３ｃには緩衝材３ｄ（例えばゴム、スポンジ等）が取り付けられており、隣接機器からの振動伝播を吸収できるように構成されている。
【００２１】
固定部３ｂにはヒンジ機構が設けられており、図４を参照して固定部３ｂを回動軸として遮蔽板部３ａを回動可能としている。これにより、地震等により室外機本体４Ａ、４Ｂが振動した場合、固定部３ｂの回動により、室外機本体又は気流制御装置１の破損を回避することができる。
【００２２】
気流制御装置１は以上のように構成されており、次に冷房運転時における気流制御の態様について説明する。
室外機本体４Ａの運転により、送風ファン４ｃは隣接室外機との間の空間６ｂから外気を吸い込み、外気熱交換部４ａにおいて冷媒を冷却したのち高温排気として消音器２の上方に排出する。この際、室外機本体４Ａと消音器２は気流制御部材３により区画されているため、高温排気の外気熱交換部４ａ側への回り込みが防止されることになる。このように、気流制御装置１に付設した気流制御部材３により、熱交換性能向上による熱効率向上、電力消費量の低減化が実現できる。
【００２３】
また、気流制御部材３の当接部３ｃに緩衝材３ｄが取り付けられているため、当接部が隣接室外機に接触していることによる室外機振動の伝播を防止することができる。
【００２４】
なお、本実施形態では排気ダクトとして消音器を用いる例を示したが、消音機能を有しないダクト単能のものを用いる態様とすることもできる。
また、本実施形態では気流制御部材を消音器の外板部に付設する例を示したが、室外機本体の外気熱交換部の外側面に付設する態様とすることもできる。
【００２５】
＜第二の実施形態＞
次に、本発明の他の実施形態について説明する。本実施形態に係る気流制御装置２０が上述の実施形態に係る気流制御装置１と異なる点は、気流制御部材の構成及び本体への固定方法である。
【００２６】
図５、６を参照して、気流制御装置２０は上述の実施形態と同一構成の消音器（排気ダクト）２１と、気流制御部材２２と、室外機ユニット４を連結固定するためのアングル形状の連結部材２３と、により構成されている。
気流制御部材２２は、隣接室外機４Ｂとの空間を区画する遮蔽板部２２ａと、遮蔽板部２２ａの前面側及び背面側に設けられ、外気熱交換部４ａへの外気吸込みに際しての流路抵抗を小さくするフード形状の整流板部２２ｂ、により構成されている。
【００２７】
次に、気流制御装置２０の室外機ユニット４への固定の態様について説明する。図７を参照して、最初に消音器２１を室外機本体４Ａの外気熱交換部４ａ上部に取り付ける。消音器２１は外気熱交換部４ａより奥行寸法が小さく構成されており、前端部及び後端部に生じるスペース４ｅに連結部材２３を載置して、ボルト２３ａにより固定する。
次いで、気流制御部材２２を室外機４Ａ，４Ｂ間の空間に入れ、連結部材２３及び気流制御部材２２の孔部を合わせて、ボルト２３ｂにより固定する。
【００２８】
次に、気流制御装置２０を付設した室外機本体４Ａにおける吸気及び排気の態様について説明する。送風ファン４ｃの運転により、外気は外気熱交換部４ａに吸い込まれる。その際、フード形状の整流板部２２ｂにより流路抵抗が極小化され、吸気が促進される。また、排気については上述の実施形態と同様に排気ダクト２１により上方に排出されるが、気流制御部材２２により外気熱交換部４ａへの回り込みを防止することができる。  
【産業上の利用可能性】
【００２９】
本発明は、データセンターのみならず、多数の空調室外機を近接配置する空調システムに広く適用可能である。
【符号の説明】
【００３０】
１、２０・・・・・気流制御装置
２、２１・・・・・消音器
３、２２・・・・・気流制御部材
３ａ、２２ａ・・・・・遮蔽板部
３ｂ・・・・・固定部
３ｃ・・・・・当接部
４・・・・・・室外機ユニット
４Ａ〜４Ｄ・・・・室外機（本体）
４ａ・・・・外気熱交換部
４ｂ・・・・水熱交換部
４ｃ・・・・送風ファン
２２ｂ・・・整流板部
２３・・・・連結部材
【図１】
2015004499.tif 000003
【図２】
2015004499.tif 000004
【図３】
2015004499.tif 000005
【図４】
2015004499.tif 000006
【図５】
2015004499.tif 000007
【図６】
2015004499.tif 000008
【図７】
2015004499.tif 000009
【図８】
2015004499.tif 000010